(57)【要約】【課題】発泡スチロール樹脂を使用せず、段ボールを用い包装材の保管費用の削減、包装材コストの低減を計る。【解決手段】包装箱２の上端部分は上緩衝材５０と第１側面板１１〜第４側面板１４によって構成され、上面部分は、第１内側面板２４、第２内側面板２６、第３内側面板２７、第４内側面板２９、内側上面板３０、蓋面板３１によって構成され、下端部分は、下緩衝材６０を包装箱２の底面部分に配置し、下緩衝材６０と第１側面板１１〜第４側面板１４によって構成され、更に、底面部分は、二つ折りにされた下緩衝材６０と底板４４及び補助底板４７によって構成される。【選択図】　図１
2004115074.tif 000002
【特許請求の範囲】
【請求項１】
単一の連続する段ボール板（１０）からなる包装箱（２）であって、側面を形成する第１、第２、第３、第４側面板（１１）、（１２）、（１３）、（１４）が折り曲げ線（４０）、（４１）、（４２）を介して互いに折り曲げ可能に連接され、第１側面板（１１）の反対側には折り曲げ線（３９）を介して接合片（３８）が設けられ、第１側面板（１１）と、第３側面板（１３）の下端側には夫々折り曲げ線（４３）を介して底面部（１５）を構成する底板（４４）が折り曲げ可能に連接され、第２側面板（１２）と、第４側面板（１４）の下端側には折り曲げ線（４３）を介して底面部（１５）を構成する補助底板（４７）が折り曲げ可能に連接され、底板（４４）の右下側には夫々斜めの折り曲げ線（４５）を介して接合部（４６）が連接され、この接合部（４６）が隣接する補助底板（４７）に固定されるようになっていて、折り曲げ線（４５）のところで底板（４４）を折り曲げると、箱状の包装箱（２）を偏平に折り畳むことができ、また、第１、第２、第３、第４側面板（１１）、（１２）、（１３）、（１４）の各々の上端には折り曲げ線（１６）、（１７）、（１８）、（１９）を介して第１、第２、第３、第４フラップ（２０）、（２１）、（２２）、（２３）を連接し、第１フラップ（２０）には、蓋面板（３１）を形成し、この蓋面板（３１）の先端には、折り曲げ線（３２）を介して第１係止片（３３）を設け、また、第１フラップ（２０）に対向する第３フラップ（２２）には内側上面板（３０）を形成し、更に第２フラップ（２１）には、第１内側面板（２４）と、折り曲げ線（２５）を介して第２内側面板（２６）を形成し、また第２フラップ（２１）に対向する第４フラップ（２３）には、前記第２フラップ（２１）と同様に第３内側面板（２７）と、折り曲げ線（２８）を介して第４内側面板（２９）を夫々形成し、また単一の連続する段ボールからなる下緩衝材（６０）は、第１、第２、第３、第４側面板（６２）、（６３）、（６６）、（６７）を備えた上底面板（６１）と、この上底面板（６１）に折り曲げ線（６５）を介して連接する下底面板（６９）よりなり、この下底面板（６９）は、切り込みにより前記第２側面板（６３）を欠除し、また、上下に第５側面板（７０）、第６側面板（７２）を夫々設け、折り曲げ線（６５）のところで下底面板（６９）の裏側が上底面板（６１）の裏側に重なるように折り曲げ、次に、第１、第２、第３、第４、第５、第６側面板（６２）、（６３）、（６６）、（６７）、（７０）、（７２）を折り曲げ線（６４）、（６８）、（７１）で上方向に折り曲げて包装箱（２）内の底面部に配置し、その上に製品（１）の底部を固定するようにし、さらに、単一の連続する段ボールからなる上緩衝材（５０）は、上面板（５１）と、側面板（５３）と補助板（５５）を備え、各折り曲げ線（５２）、（５４）で折り曲げて形成され、包装箱（２）の上面部分に配置して、製品（１）の上部を固定するようにしたことを特徴とする包装箱。
【発明の詳細な説明】
【０００１】
【発明の属する技術分野】
本発明は、単一の連続する段ボール板から組み立てられ、加湿器等の小型家庭用電化製品を包装する包装箱に関するものである。
【０００２】
【従来の技術】
【特許文献１】特開２００２−１７９０５７号公報
この種包装箱は、加湿器等の小型家庭用電化製品を包装して物流に供する場合に、従来は例えば図６、図７に示すような包装を行っていた。
【０００３】
図６において、１は加湿器等の製品であり、この製品１は、発泡スチロールからなる緩衝材３により上前面部、上後面部及び下前面部、下後面部を固定した後段ボール製の包装箱２の中に収納され、包装箱２と製品１の空間部分又は製品１上部に取扱説明書４を収納配置し、着脱部品である電源接続用コード５を緩衝材３の中に収納していた。
【０００４】
また、図７において、１は製品であり、この製品１を段ボールからなる緩衝材８により、製品１の前面部、後面部、底面部を固定したのち段ボール製の包装箱２の中に収納され、製品１の上方向は包装箱２のフラップ１０及びフラップ１１を折り曲げることによって生じる空間で固定している。（例えば、特許文献１参照）
【０００５】
【発明が解決しようとする課題】
上記従来技術のうち最初に示すものは、加湿器等の製品を外部からの衝撃から保護するために用いられる発泡スチロールからなるプラスチック系梱包材は、容器包装リサイクル法により、再商品化が義務付けられているため、リサイクルするための運搬費や再資源化委託費等の費用がかさむこと等の理由により、紙系の材料とした包装用緩衝材へと切り替えることが要請されている。
【０００６】
また、使い勝手の面でも、４個の成形緩衝材をそれぞれ所定の箇所に配置する作業が繁雑であり、保管場所のスペースも十分必要であるため、組立作業費及び保管費用も高くなってしまうといった問題があった。
【０００７】
また、製品の形状が意匠変更等により変わった場合には、その都度緩衝材の成形型の改造または新規に作成しなければならなく、成形型の改造費及び作成費用が発生してしまう等、包装材料コストが高くなってしまうという問題があった。
【０００８】
また、後者に示すものは、緩衝材の寸法が大きくなり、保管場所を広く取る必要があることや、寸法が大きいため取り扱いの作業性が悪いこと、材料費が高くなる等の問題があった。
【０００９】
【課題を解決するための手段】
上記課題を解決するために本発明は、単一の連続する段ボール板からなる包装箱であって、側面を形成する第１、第２、第３、第４側面板が折り曲げ線を介して互いに折り曲げ可能に連接され、第１側面板の反対側には折り曲げ線を介して接合片が設けられ、第１側面板と、第３側面板の下端側には夫々折り曲げ線を介して底面部を構成する底板が折り曲げ可能に連接され、第２側面板と、第４側面板の下端側には折り曲げ線を介して底面部を構成する補助底板が折り曲げ可能に連接され、底板の右下側には夫々斜めの折り曲げ線を介して接合部が連接され、この接合部が隣接する補助底板に固定されるようになっていて、折り曲げ線のところで底板を折り曲げると、箱状の包装箱を偏平に折り畳むことができ、また、第１、第２、第３、第４側面板の各々の上端には折り曲げ線を介して第１、第２、第３、第４フラップを連接し、第１フラップには、蓋面板を形成し、この蓋面板の先端には、折り曲げ線を介して第１係止片を設け、また、第１フラップに対向する第３フラップには内側上面板を形成し、更に第２フラップには、第１内側面板と、折り曲げ線を介して第２内側面板を形成し、また第２フラップに対向する第４フラップには、前記第２フラップと同様に第３内側面板と、折り曲げ線を介して第４内側面板を夫々形成し、また単一の連続する段ボールからなる下緩衝材は、第１、第２、第３、第４側面板を備えた上底面板と、この上底面板に折り曲げ線を介して連接する下底面板よりなり、この下底面板は、切り込みにより前記第２側面板を欠除し、また、上下に第５側面板、第６側面板を夫々設け、折り曲げ線のところで下底面板の裏側が上底面板の裏側に重なるように折り曲げ、次に、第１、第２、第３、第４、第５、第６側面板を折り曲げ線で上方向に折り曲げて包装箱内の底面部に配置し、その上に製品の底部を固定するようにし、さらに、単一の連続する段ボールからなる上緩衝材は、上面板と、側面板と補助板を備え、各折り曲げ線で折り曲げて形成され、包装箱の上面部分に配置して、製品の上部を固定するようにするようにして製品を固定保護するものとした。
【００１０】
本発明は、このような段ボール板でつくられた緩衝材を用いる構成にしたことにより、加湿器等の製品の被包装物を効率よく包装できる包装箱が提供でき、更に外部からの衝撃に対して製品を確実に保護することができ、さらに、包装材料のコストダウン及び包装容積のコンパクト化に大きな効果を上げることができるものである。
【００１１】
【発明の実施の形態】
以下本発明の一実施例を図１〜図５に基づいて説明する。
【００１２】
図１は本発明の一実施例を示す包装箱２の展開平面図であり、図２は同じく上緩衝材５０の展開平面図であり、図３は同じく下緩衝材６０の展開平面図であり、図４は同じく電源コード用緩衝材７５の展開平面図であり、図５は同じく包装箱２の分解外観斜視図である。
【００１３】
図１において、１０は包装箱２を組み立てる段ボール板であり、展開図を示すものである。
【００１４】
この段ボール板１０は、包装箱２を構成する４側板、すなわち、第１側面板１１、第２側面板１２、第３側面板１３、第４側面板１４を備え、これらが折り曲げ線４０、４１、４２を介して互いに折り曲げ可能に連接している。
【００１５】
第１側面板１１の反対側には折り曲げ線３９を介して接合片３８を設けている。
【００１６】
第１側面板１１と第３側面板１３の下端側には夫々折り曲げ線４３を介して底面部１５を構成する底板４４が折り曲げ可能に連接している。
【００１７】
第２側面板１２と第４側面板１４の下端側には折り曲げ線４３を介して底面部１５を構成する補助底板４７が折り曲げ可能に連接している。
【００１８】
底板４４の右下側には夫々斜めの折り曲げ線４５を介して接合部４６が連接されており、この接合部４６が隣接する補助底板４７に糊付け等で固定されるようになっており、折り曲げ線４５のところで底板４４を折り曲げると、この箱状の包装箱２を偏平に折り畳むことができる。
【００１９】
第１、第２、第３、第４側面板１１、１２、１３、１４の上端には折り曲げ線１６、１７、１８、１９を介して第１フラップ２０、第２フラップ２１、第３フラップ２２、第４フラップ２３が連接している。
【００２０】
第１フラップ２０には、蓋面板３１が形成され、この蓋面板３１の先端には折り曲げ線３２を介して第１係止片３３と、第１係止片３３の下側には長孔３７を設けている。
【００２１】
第１フラップ２０に対向する第３フラップ２２には、内側上面板３０を形成し、さらに第３側面板１３の上端部に設けられた第２係止片３４と内側上面板３０の下端部に設けられた第２長孔３６を設けている。
【００２２】
第２フラップ２１には、第１内側面板２４が形成され、この第１内側面板２４の先端には折り曲げ線２５を介して第２内側面板２６を設けている。
【００２３】
第２フラップ２１に対向する第４フラップ２３には、前記第２フラップ２１と同様に第３内側面板２７が形成され、この第３内側面板２７の先端には第４内側面板２９を設けている。
【００２４】
図２において、５０は上緩衝材であり、段ボール材よりなり前記段ボール板１０を組み立てて形成される包装箱２の上面に収納するもので、上面板５１、側面板５３、補助板５５を夫々設けている。
【００２５】
図３において、６０は下緩衝材であり、段ボール材よりなり前記段ボール板１０を組み立てて形成される包装箱２の底面に収納するもので、上底面板６１、第１側面板６２、第２側面板６３、第３側面板６６、第４側面板６７、下底面板６９、第５側面板７０、第６側面板７３を夫々設けている。
【００２６】
７５は、付属部品である電源コード５を保護するための電源コード用緩衝材であり、段ボール材よりなり折り曲げ線７６、７７、７８を設けている。
【００２７】
次に、以上のような構成からなる段ボール板１０、上緩衝材５０、下緩衝材６０、電源コード用緩衝材７５によって、図５に示すような包装箱２を組み立てる動作について説明する。
【００２８】
先ず、段ボール板１０は、折り曲げ線３９〜４２のところで第１側面板１１〜第４側面板１４及び接合片３８を折り曲げると共に、接合片３８を反対側の第４側面板１４端部に糊付けして接合する。そして底部開口を底板４４、補助底板４７を折り曲げ線４３より折り曲げ、底面部１５を閉じる。この時、底板４４の接合部４６を補助底板４７に糊付けして折り畳み可能な底面部１５を形成する。この状態が図５に示すような上部が開口した直方体状の包装箱２である。
【００２９】
次に、下緩衝材６０は、ほぼ中央に設けられた折り曲げ線６５のところで反対側に折り曲げる。この時、下底面板６９の裏側が上底面板６１の裏側にくるように約１８０°曲げるものとする。そして、第１側面板６２、第２側面板６３、第３側面板６６、第４側面板６７、第５側面板７０、第６側面板７２を折り曲げ線６４、６５、６８、７１のところで上方向に折り曲げる。そして、包装箱２の底部に収納した後、製品１を収納する。
【００３０】
次に、上緩衝材５０は、上面板５１、側面板５３、補助板５５を夫々折り曲げ線５２、５４のところで折り曲げる。そして、前記包装箱２内に収納した製品１の上部に収納し製品１を固定する。
【００３１】
次に、電源コード用緩衝材７５は、折り曲げ線７６、７７、７８のところで付属部品である電源コード５を巻くように折り曲げた後、前記上緩衝材５０の切り欠き部に収納し、電源コード用緩衝材７５を固定する。
【００３２】
次に、上緩衝材５０の上に取扱説明書４を収納した後、第２フラップ２１に設けた第２内側面板２６を折り曲げ線２５のところで内側に１８０°折り曲げるとともに、第１内側面板２４を折り曲げ線１７のところで内側に約９０°折り曲げ、更に対向する第４フラップ２３も同様に第４内側面板２９と第３内側面板２７を折り曲げて前記上緩衝材５０を固定する。
【００３３】
次に、第３フラップ２２の内側上面板３０を折り曲げ線１８のところで内側に折り曲げた後、第３側面板１３の上端部に設けられた第２係止片３４を折り曲げ線３５のところで外側に折り曲げることによって生じる長孔と内側上面板３０の下端部分に設けられた第２長孔３６に、第１フラップ２０に設けられた蓋面板３１及び第１係止片３３を折り曲げ線１６、３２に沿って下方向に折り曲げ、上方向から力を加えることにより第１係止片３３を挿入する。
【００３４】
次に、第２係止片３４を第２係止片３４のほぼ中央部分に設けられた折り曲げ線１８に沿って内側に折り曲げるとともに、第１係止片３３の下端部分に設けられた長孔３７に第２係止片３４の先端部分を挿入することにより、蓋面板３１と第３側面板１３を夫々係止めし、閉塞状態を保持する。
【００３５】
このような包装形態にすることにより、包装箱２の上端部に加わる衝撃は、製品１の上側全体を上緩衝材５０で固定され、上緩衝材５０と第１側面板１１〜第４側面板１４によって構成される２重に重ねた段ボール板による衝撃吸収板及びそれによって生まれた衝撃吸収空間によって吸収される。
【００３６】
また、上面そのものに加わる衝撃は、第１内側面板２４、第２内側面板２６、第３内側面板２７、第４内側面板２９、内側上面板３０、蓋面板３１によって構成される４重に重ねた段ボール板による衝撃吸収板によって吸収される。
【００３７】
また、包装箱２の下端部分に加わる衝撃は、下緩衝材６０を包装箱２の底面部分に配置することにより製品１の底面部が固定されるため、下緩衝材６０と第１側面板１１〜第４側面板１４によって構成される２重に重ねた段ボール板による衝撃吸収板及びそれによって生まれた衝撃吸収空間によって吸収される。
【００３８】
また、底面そのものに加わる衝撃は、二つ折りにされた下緩衝材６０と底板４４及び補助底板４７によって構成される４重に重ねた段ボール板による衝撃吸収板によって吸収される。
【００３９】
したがって、この包装箱２内に収納された製品１は、その６面全ての方向からの衝撃が段ボール板１０、上緩衝材５０、下緩衝材６０を２層以上に積層して形成された衝撃吸収板及び衝撃吸収空間によって保護されることになり、製品１を外部からの衝撃に対して確実に保護することが可能になる。
【００４０】
【発明の効果】
以上、本発明はこのような構成としたことにより、包装箱内に収納される製品は、その６面全ての方向からの衝撃が衝撃吸収空間及び段ボール板を２層以上積層して形成された衝撃吸収板によって保護されることになり、外部からの衝撃から確実に保護することが可能になった。
【００４１】
また、段ボール板からなる包装箱、上緩衝材、下緩衝材をいずれも平板な状態で保管することができ、保管スペースの縮小による保管費用の削減が可能になった。
【００４２】
また、段ボール板からなる緩衝材は、形状をできるだけ小さくして、包装箱で衝撃を保護することが出来る部分には内部に緩衝材を使わないように構成したため包装材コストが低減できた。
【００４３】
また、製品の形状が意匠変更等により変わった場合においても、緩衝材を変更することなく共用して使用できるため、緩衝材の成形型の改造や新規に作成しなくてすみ、成形型の改造費や作成費用が発生しなくなり包装材料コスト低減ができ、且つ発泡スチロール樹脂を使用しないため環境にやさしい包装箱を提供できるものである。
【図面の簡単な説明】
【図１】本発明の一実施例を示す包装箱の展開平面図である。
【図２】同じく上緩衝材の展開平面図である。
【図３】同じく下緩衝材の展開平面図である。
【図４】同じく電源コード用緩衝材の展開平面図である。
【図５】同じく包装箱の組立状態を示す分解外観斜視図である。
【図６】従来例の包装箱の分解外観斜視図である。
【図７】従来例の包装箱の分解外観斜視図である。
【符号の説明】
１　製品
２　包装箱
１０　段ボール板
１１　第１側面板
１２　第２側面板
１３　第３側面板
１４　第４側面板
１５　底面部
１６、１７、１８、１９、２５、２８、３２、３９、４０、４１、４２、４３、４５、５２、５４、６４、６５、６８、７１　折り曲げ線
２０　第１フラップ
２１　第２フラップ
２２　第３フラップ
２３　第４フラップ
２４　第１内側面板
２６　第２内側面板
２７　第３内側面板
２９　第４内側面板
３０　内側上面板
３１　蓋面板
３３　第１係止片
３８　接合片
４４　底板
４６　接合部
４７　補助底板
５０　上緩衝材
５１　上面板
５３　側面板
５５　補助板
６０　下緩衝材
６１　上底面板
６２　第１側面板
６３　第２側面板
６６　第３側面板
６７　第４側面板
６９　下底面板
７０　第５側面板
７２　第６側面板
【図１】
2004115074.tif 000003
【図２】
2004115074.tif 000004
【図３】
2004115074.tif 000005
【図４】
2004115074.tif 000006
【図５】
2004115074.tif 000007
【図６】
2004115074.tif 000008
【図７】
2004115074.tif 000009